(57)【要約】【課題】有効なアドレスを設定するための手間を低減した負荷制御システム用の操作スイッチ配線器具を提供する。【解決手段】操作スイッチ配線器具１は、照明器具などの負荷への電源供給をオン・オフするためのリレーを制御する制御親機２、制御子器３ａ、３ｂと２線式の伝送線Ｌｓを介して接続されている。操作スイッチ配線器具１は、マイクロコンピュータよりなる制御部４１と、操作スイッチ２１のアドレスを視覚的に表示する液晶表示部４６を備える。制御部４１は、その動作モードとして操作モード、アドレス設定モードを有し、アドレス設定モード時において操作スイッチ２１が押操作されると、液晶表示部４６に表示させるアドレスの候補値を順番に切替えるが、設定候補のアドレスに対応するリレーが存在しない場合には、そのアドレスを表示せずに次のアドレスを表示する。【選択図】図１
2011010036.tif 000002
【特許請求の範囲】
【請求項１】
個別のアドレスが割り当てられた操作スイッチのオン・オフを監視する操作スイッチ配線器具と、個別のアドレスが割り当てられたリレーの開閉を制御するリモコン配線器具とを信号線に接続し、前記操作スイッチ配線器具が、前記操作スイッチの操作に応じた操作情報とアドレス情報とを含む伝送信号を信号線に出力し、前記操作スイッチのアドレスと対応付けられたアドレスのリレーを前記リモコン配線器具が開閉する遠隔監視制御システムに用いられる操作スイッチ配線器具であって、
アドレスを視覚的に表示する表示手段と、前記操作スイッチのアドレスを設定するアドレス設定モードにおいて、アドレスの切替操作を行うための切替操作釦と、アドレス設定モードにおいて前記切替操作釦が操作される毎に、前記表示手段に表示させる設定候補のアドレスを切替える表示切替手段と、アドレス設定モードの終了時に、前記表示手段に表示されているアドレスを設定対象の操作スイッチのアドレスとして設定するアドレス設定手段とを備え、
前記表示切替手段は、リモコン配線器具から取得した全てのリレーのアドレス情報に基づいて、アドレスに対応するリレーが存在しない場合には、当該アドレスを設定候補のアドレスとして表示させないことを特徴とする操作スイッチ配線器具。
【請求項２】
前記操作スイッチを複数備え、前記表示切替手段は、他の操作スイッチのアドレスとして設定されたアドレスを設定候補のアドレスとして表示させないことを特徴とする請求項１記載の操作スイッチ配線器具。
【請求項３】
操作スイッチのアドレスに対応するリレーのタイマ制御方式として、オン操作から所定の一時動作時間だけ負荷を操作させる一時動作制御、または、オフ操作から所定の遅れ停止時間が経過後に負荷を停止させる遅れ停止制御の何れかを設定するためのタイマ動作設定手段を有することを特徴とする請求項１または２に記載の操作スイッチ配線器具。
【発明の詳細な説明】
【技術分野】
【０００１】
本発明は、照明器具などの負荷の監視及び制御を行う負荷制御システムに用いられる負荷制御用の操作スイッチ配線器具に関するものである。
【背景技術】
【０００２】
従来から、照明器具などの負荷への電源供給をオン・オフするリレーを有する制御親機および複数台の制御子器と、各制御端末（制御親機及び制御子器）のリレーをオン・オフ操作するための操作スイッチとが２線式の伝送線を介して接続された負荷制御システムが提供されている（例えば、特許文献１を参照）。
【０００３】
この種の負荷制御システムにおいては、例えば特許文献１に記載されているように、制御親機は所定のフォーマットに設定された双極性（±２４Ｖ）のパルス信号からなる伝送信号を、時分割多重方式で伝送線に出力している。各制御子器及び操作スイッチ配線器具は、設定されたアドレスに一致した伝送信号が入力されると、伝送信号から制御情報を取り込み、リレーの開閉や負荷のオン・オフ状態の表示などを行う。また、制御親機は制御情報を有しないダミーの伝送信号を所定の間隔で伝送線に出力している。
【０００４】
ここで、使用者によって操作スイッチが操作されると、操作スイッチは伝送信号に同期した割込信号を出力する。制御親機は割込信号を受信すると、全ての操作スイッチ配線器具に対して伝送信号を用いて問い合わせを行うことで、割込信号を発した操作スイッチから操作対象のアドレスと操作内容を取得し、操作対象のアドレスに対応するリレーを制御親機が保持していればリレーの開閉を行う。また、操作対象のアドレスに対応するリレーが制御親機に存在しなければ、制御親機が伝送線に伝送信号を送信し、操作対象のアドレスに対応するリレーを有する制御子器が伝送信号を受信することでリレーの開閉を行う。このようにして、操作スイッチを操作することで、操作スイッチに対応するリレーの開閉を行い、負荷への電源供給がオン・オフ制御される。なお、操作スイッチは制御親機が送信する伝送信号を全波整流して、操作スイッチの動作電源としている。
【先行技術文献】
【特許文献】
【０００５】
【特許文献１】特開２００６−０９４４５２号公報
【発明の概要】
【発明が解決しようとする課題】
【０００６】
ところで、上述の負荷制御システムに用いられる制御親機には、８回路分のリレーが着脱自在に取り付けられており、各リレーのアドレスはその取付位置に応じて、１〜８のいずれかに設定される。また、制御子器には、４回路分のリレーが着脱自在に取り付けられており、４回路分のリレーのアドレスは、９〜１２、１３〜１６、・・・、４５〜４８の何れかに設定される。例えば、制御親機に４回路分のリレーを取り付けた場合、１、２、７、８のように設定され、３〜６のアドレスが使用されない場合がある。また、制御親機と制御子器を接続した場合には、制御親機では１〜８のアドレスが設定されるのに対し、制御子器では１７〜２０の各アドレスが設定され、９〜１６のアドレスが使用されないことも考えられる。
【０００７】
このため、各操作スイッチにアドレスを割り当てる場合には、直接的にアドレスの数値を設定するような設定手段が好ましいが、上述のような操作スイッチ配線器具においては、その表面に多数のスイッチを並べることは難しく、例えば複数のスイッチでテンキーを構成して操作スイッチのアドレスを設定することは困難である。
【０００８】
そこで、上述のような操作スイッチ配線器具においては、操作スイッチの押操作に応じてアドレスの設定を行うアドレス設定モードを備え、操作スイッチを複数回押すことでアドレス値を順に加算し、目的のアドレスを設定するような方法が取られている。そのため、例えば上述のような、使用されないアドレスが多くなる場合には、リレーが存在しない不正なアドレスを設定してしまうことや、目的のアドレスを設定するまでの操作回数が多くなるといった問題があった。
【０００９】
本発明は、上記事由に鑑みて為されたものであり、その目的とするところは、不正なアドレスの設定を防ぎ、有効なアドレスを設定するための手間を低減した負荷制御システム用の操作スイッチ配線器具を提供することにある。
【課題を解決するための手段】
【００１０】
上記目的を達成するために、請求項１の発明では、個別のアドレスが割り当てられた操作スイッチのオン・オフを監視する操作スイッチ配線器具と、個別のアドレスが割り当てられたリレーの開閉を制御するリモコン配線器具とを信号線に接続し、前記操作スイッチ配線器具が、前記操作スイッチの操作に応じた操作情報とアドレス情報とを含む伝送信号を信号線に出力し、前記操作スイッチのアドレスと対応付けられたアドレスのリレーを前記リモコン配線器具が開閉する遠隔監視制御システムに用いられる操作スイッチ配線器具であって、アドレスを視覚的に表示する表示手段と、前記操作スイッチのアドレスを設定するアドレス設定モードにおいて、アドレスの切替操作を行うための切替操作釦と、アドレス設定モードにおいて前記切替操作釦が操作される毎に、前記表示手段に表示させる設定候補のアドレスを切替える表示切替手段と、アドレス設定モードの終了時に、前記表示手段に表示されているアドレスを設定対象の操作スイッチのアドレスとして設定するアドレス設定手段とを備え、前記表示切替手段は、リモコン配線器具から取得した全てのリレーのアドレス情報に基づいて、アドレスに対応するリレーが存在しない場合には、当該アドレスを設定候補のアドレスとして表示させないことを特徴とする。
【００１１】
請求項２の発明では、請求項１に記載の発明において、前記操作スイッチを複数備え、前記表示切替手段は、他の操作スイッチのアドレスとして設定されたアドレスを設定候補のアドレスとして表示させないことを特徴とする。
【００１２】
請求項３の発明では、請求項１または２の何れか一項に記載の発明において、操作スイッチのアドレスに対応するリレーのタイマ制御方式として、オン操作から所定の一時動作時間だけ負荷を操作させる一時動作制御、または、オフ操作から所定の遅れ停止時間が経過後に負荷を停止させる遅れ停止制御の何れかを設定するためのタイマ動作設定手段を有することを特徴とする。
【発明の効果】
【００１３】
請求項１の発明によれば、対応するリレーが存在しないアドレスを表示手段に表示しないことで、存在しないアドレスを設定することを回避でき、また、目的のアドレスを設定するまでの操作回数を減らして、設定の手間を低減した負荷制御システム用の操作スイッチ配線器具を提供できる。
【００１４】
請求項２の発明によれば、同一操作スイッチ配線器具内に設定されているアドレスを表示しないことで、目的のアドレスを設定するまでの操作回数をさらに減らすことができ、設定の手間をさらに低減することができる。
【００１５】
請求項３の発明によれば、上記の効果に加え、オン操作から所定の一時動作時間だけ負荷を操作させる一時動作制御、及び、オフ操作から所定の遅れ停止時間が経過後に負荷を停止させる遅れ停止制御からなるリレーのタイマ制御方式を専用の機器を用いることなく設定することができる。
【図面の簡単な説明】
【００１６】
【図１】本発明の実施の形態にかかる操作スイッチ配線器具の制御回路を示す概略ブロック図である。
【図２】同操作スイッチ配線器具を用いた負荷制御システムを示す概略ブロック図である。
【図３】同操作スイッチ配線器具を示す分解斜視図である。
【図４】同操作スイッチ配線器具の要部を示す正面図であり、（ａ）はアドレス設定モードにおける表示部の表示状態、（ｂ）はタイマ動作設定モードにおける表示部の表示状態を示している。
【発明を実施するための形態】
【００１７】
以下に本発明に係る操作スイッチ配線器具の実施形態を図１〜図４に基づいて説明する。なお、以下の説明においては、図４（ａ）の上下左右を操作スイッチ配線器具１の上下左右とし、図４（ａ）の正面を前面として説明を行う。
【００１８】
まず、操作スイッチ配線器具１が用いられる負荷制御システムについて説明を行う。
【００１９】
負荷制御システムＡは、図２に示すように、照明器具などの負荷への電源供給をオン・オフ制御する制御親機２、及び、制御子器３ａ、３ｂと、操作スイッチ配線器具１とが伝送線Ｌｓを介して接続されている。
【００２０】
制御親機２にはリレー４ａを８回路分、制御子器３ａ、３ｂにはリレー４ｂを４回路分づつ取り付ることができ、各リレー４（リレー４ａ、４ｂ）には、別個のアドレスを設定することができる。各リレー４（リレー４ａ、４ｂ）には、照明器具などの負荷が接続されている（図示せず）。
【００２１】
本実施の形態においては、制御親機２にはリレー４ａが４回路取り付けられており、各リレー４ａのアドレスはそれぞれ「１」、「２」、「７」、「８」に設定されている。また、制御子器３ａにはリレー４ｂが２回路取り付けられており、各リレー４ｂのアドレスはそれぞれ「９」、「１２」に設定されている。また、制御子器３ｂにはリレー４ｂが４回路取り付けられており、各リレー４ｂのアドレスはそれぞれ「２１」、「２２」、「２３」、「２４」に設定されている。すなわち、本実施の形態における有効なアドレスは、「１」「２」「７」「８」「９」「１２」「２１」「２２」「２３」「２４」である。
【００２２】
ここで、制御親機２が、伝送線Ｌｓに伝送信号を出力し、制御子器３（３ａ、３ｂ）及び操作スイッチ配線器具１が、この伝送信号の信号返送期間に制御情報を付加し、返信信号として制御親機２に返信することで各種信号の授受を行う。これにより、制御親機２及び制御子器３は、操作スイッチ配線器具１の操作に応じて、各リレー４に接続された負荷のオン・オフ制御及び、タイマ制御（オン操作から所定の一時動作時間だけ負荷を操作させる一時動作制御、オフ操作から所定の遅れ停止時間が経過後に負荷を停止させる遅れ停止制御）を行う。また、操作スイッチ配線器具１は、制御親機２及び制御子器３のリレー４に接続された負荷の動作状態を検知して、動作状態に応じて表示を変更することができる。
【００２３】
次に、操作スイッチ配線器具１について説明する。操作スイッチ配線器具１は、図３に示すように、合成樹脂成形品からなり前面が開口した略箱状のボディ１１と、合成樹脂成形品からなりボディ１１の前面の開口を被うようにして取着され、ボディ１１とともに器体１０を構成するカバー１２と、合成樹脂成形品からなりカバー１２の前面に取着される操作ハンドル３０と、器体１０の内部に収納されるプリント配線板２０とを備えている。この器体１０は、ＪＩＳで規格化された大角形連用配線器具用の取付枠（ＪＩＳ  Ｃ  ８３７５）に３個まで取着可能な単位寸法の埋込型配線器具を、短幅方向に３個並べた寸法（３個モジュール寸法）と略同じ寸法に形成されており、前面を露出させた状態で施工面に埋込配設される。
【００２４】
ボディ１１は、長手方向に沿う両側壁の前縁からは各一対の組立舌片１１ａが前方に向かって突設されている。一方、カバー１２は後面が開口した縦長の略箱状であって、長手方向に沿う両側壁には一対の組立突起１２ａが上下に離間して突設されており、この組立突起１２ａを組立舌片１１ａに設けた係止孔１１ｂに係合させることで、ボディ１１とカバー１２とが結合されている。
【００２５】
カバー１２の上下両側壁の前縁からは取付片１３、１３が上下両側に向かってそれぞれ延出しており、各取付片１３には施工面に埋設された埋込ボックス（図示せず）にねじ止めするためのボックスねじを挿通する長孔１３ａと、壁材などに器体１０を直付けするための取付ねじを挿通するねじ挿通孔１３ｂと、操作ハンドル３０を露出させる窓孔が前面に開口する化粧プレート（図示せず）を取着するためのねじ孔１３ｃとが少なくとも設けてある。
【００２６】
プリント配線板２０は、その表面にタクトスイッチからなる４個の操作スイッチ２１と、タクトスイッチからなるモード切替スイッチ２２と、左右方向に２桁に集積された７セグメントＬＣＤが上下方向に４個並べられた液晶パネル２３と、発光ダイオード２４とを含み、図１の回路ブロック図に示す回路を形成する回路部品が実装されている。各４個の操作スイッチ２１および発光ダイオード２４は、それぞれ上下方向に並べてプリント配線板２０の左右両側部に列設されており、各操作スイッチ２１はプリント配線板２０の右側部に配列されるとともに、各発光ダイオード２４はプリント配線板２０の左側部において対応する操作スイッチ２１と略同じ高さ位置に配置されている。また、モード切替スイッチ２２はプリント配線板２０の上下方向の中央よりも下側において、操作スイッチ２１よりもやや右寄りの位置に配置されている。なお、ボディ１１の背面には信号線Ｌｓを接続するためのねじ端子１１ｃが設けられ、ねじ端子１１ｃを介してプリント配線板２０と信号線Ｌｓとが電気的に接続されるようになっている。
【００２７】
カバー１２の前面には、上述の４個の操作スイッチ２１及びモード切替スイッチ２２とそれぞれ対応する部位に、各操作スイッチ２１の操作子に被せた押釦２１ａを前後方向において移動自在に挿通させる挿通孔１４と、モード切替スイッチ２２の操作子に被せた押釦２２ａを前後方向において移動自在に挿通させる挿通孔１５とが貫設されている。またカバー１２の前面には、液晶パネル２３の上下方向に並ぶ４個の７セグメント表示位置に対応する部位に窓孔１６が貫設され、発光ダイオード２４にそれぞれ対向する部位に、発光ダイオード２４がそれぞれ備える直方体状のレンズ体を挿通させる挿通孔１７が貫設されている。
【００２８】
操作ハンドル３０は、上下方向に略４等分した大きさに形成され、上下方向に４個並べられた扉部３１と、扉部３１を回動自在に保持し、カバー１２の前面に取着される軸部３２と、少なくともカバー１２の挿通孔１７と対向する部位が透光性を有する表示窓３３とを備える。また、操作ハンドル３０には、各扉部３１の前面を覆うようにして透明なネームカバー３４が取着され、ネームカバー３４と扉部３１との間にネームカード３５が保持されている。
【００２９】
扉部３１の後面には、挿通孔１４と対向する位置に押突起（図示せず）が突設されており、扉部３１の右側を押操作することで、扉部３１が軸部３２を支点に回動し、押突起が押釦２１ａを押動させ、操作スイッチ２１がオン状態になる。その後、扉部３１を押圧する力を無くすと、操作スイッチ２１の押釦２１ａなどの反力を受けて扉部３１が復帰位置に戻り、操作スイッチ２１がオフになる。このようにして、扉部３１を押操作することで、操作スイッチ２１を操作することができる。
【００３０】
また、扉部３１の右側後部には、カバー１２の前面に設けられた係合孔１８と係合することで、扉部３１の前面側への回動量を規制する係止突起３１ａが設けられている。係止突起３１ａは、使用者が扉部３１を前面側に回動させるように、所定の力を加えることで係合孔１８との係合が解除されるようになっている。これにより、モード切替スイッチ２２が前面に露出するとともに、窓孔１６を通じて液晶パネル２３の表示を確認できるようになる。
【００３１】
プリント配線板２０には、図１に示すように、マイクロコンピュータよりなる制御部４１と、４個の操作スイッチ２１及びモード切替スイッチ２２からなる操作入力部４２と、伝送線Ｌｓを介して入力される伝送信号を全波整流することで内部電源を生成する電源部４３と、伝送線Ｌｓを介して伝送信号を受信する信号受信部４４と、伝送線Ｌｓを介して返信信号を出力する信号返信部４５と、液晶パネル２３からなる表示部４６と、発光ダイオード２４からなるＬＥＤ表示部４７と、フラッシュメモリなどのメモリからなる記憶部４８とを主要な構成として備える。
【００３２】
制御部４１は、その動作モードとして操作スイッチ２１の操作に応じて負荷のオン・オフを制御する操作モード、各操作スイッチ２１のアドレスを設定するアドレス設定モード、各操作スイッチ２１に対応するリレーのタイマ制御方式を設定するタイマ動作設定モードの３つのモードを有し、モード切替スイッチ２２の押操作に応じて操作入力部４２からモード切替信号が入力される毎に、各動作モードが順に切替えられる。
【００３３】
ここで、操作スイッチ配線器具１の設定動作について説明する。操作スイッチ配線器具１を設定する際には、、操作ハンドル３０を外して器体１０の前面を露出した状態で、モード切替スイッチ２２を押操作し、制御部４１の動作モードがアドレス設定モードに切り替える。アドレス設定モードに切り替えられると、各操作スイッチ２１に割り当てられたアドレスを示す液晶表示が、各操作スイッチ２１と同じ高さ位置に設けられた窓孔１６を通じて、確認できるよう表示部４６（液晶パネル２３）に表示される（図４（ａ）を参照）。なお、初期状態では、各操作スイッチ２１にはアドレスが割り当てられておらず、表示部４６には例えば横棒などが表示される。
【００３４】
このアドレス設定モードにおいては、信号受信部４４は制御親機２からの伝送信号を受信している。ここで、ダミーの制御信号を含む伝送信号が入力されると、制御部４１が伝送信号の信号返送期間に割込信号を生成して、信号返信部４５から返信信号を出力させる。その後、信号受信部４４が制御情報を含む伝送信号を受信して、制御部４１はリレーの接続情報を取得するための制御情報を含む返信信号を制御親機２に送信する。さらにその後、制御親機２がリレーの接続情報を含む伝送信号を送信することで、信号受信部４４はリレーの接続情報を含む伝送信号を受信する。信号受信部４４がリレーの接続情報を含む伝送信号受信すると、制御部４１は、リレーの接続情報に基づいて各制御機器（制御親機２、制御子器３ａ、３ｂ）に接続されているリレー４のアドレスの一覧を記憶部４８に記憶する。
【００３５】
ここで、使用者がアドレスを設定するためにいずれかの操作スイッチ２１を押操作すると、制御部４１は、当該操作スイッチ２１のアドレスの候補値に１を加算して候補値を更新する。このとき、更新後のアドレスの候補値が、記憶部４８に記憶されたアドレス値に存在し、且つ、設定中の操作スイッチ２１以外の各操作スイッチ２１に割り当てられた全てのアドレスと一致するかを確認して、更新後のアドレス候補値の有効・無効を判別する。判別結果が有効の場合には、更新後のアドレスの候補値を表示部４６に表示し、一方、判別結果が無効の場合には、再度アドレスの候補値に１を加算して同様の判別を行い、判別結果が有効になるまでこの加算と判別を繰り返す。また、加算したアドレスの候補値が記憶部４８に記憶されたアドレスの何れの値よりも大きくなった場合には、アドレスの候補値を最小値（本実施の形態では「１」）に設定して同様の処理を行う。より具体的には、各操作スイッチ２１にアドレス「１」「２」「７」「８」がそれぞれ割り当てられ、アドレス「２」が割り当てられた操作スイッチ２１を押操作した場合には、「９」「１２」「２１」「２２」「２３」「２４」「２」が順に表示されることとなる。
【００３６】
このようにして、上記操作スイッチ２１の押操作を繰り返し、全ての操作スイッチ２１に対するアドレスの候補値を表示部４６に表示させた後、モード切替スイッチ２２を押操作すると、制御部４１の動作モードはアドレス設定モードを終了し、タイマ動作設定モードに切り替えられるとともに、表示部４６に表示されているアドレスの候補値が、操作スイッチ２１の新たなアドレスとして記憶部４８に記憶される。
【００３７】
動作モードがタイマ動作設定モードに切り替えられると、制御部４１は各操作スイッチ２１に設定されたタイマ動作設定をタイマ動作の候補値として記憶部４８から取り出し、各操作スイッチ２１と同じ高さ位置に設けられた窓孔１６を通じて、タイマ動作の候補値を示す液晶表示が確認できるよう表示部４６に表示される（図４（ｂ）を参照）。具体的には、液晶表示として、「−−」、「ｔ０」、「ｔ１」、「ｔ２」、「ｔ３」、「ｄ０」、「ｄ１」、「ｄ２」の何れかが表示され、それぞれ、「タイマ動作設定なし」、「一時動作時間３０秒」、「一時動作時間１分」、「一時動作時間５分」、「一時動作時間６０分」、「遅れ停止時間３０秒」、「遅れ停止時間１分」、「遅れ停止時間５分」を表している。なお、初期状態では、各操作スイッチ２１のタイマ動作の候補値は「タイマ動作設定なし」に設定されている。
【００３８】
ここで、使用者がタイマ動作設定のためにいずれかの操作スイッチ２１を押操作すると、タイマ動作の候補値を上述した順に更新して、対応する液晶表示を表示部４６に表示する。操作スイッチ２１の押操作を繰り返し、全ての操作スイッチ２１に対する目的のタイマ動作の候補値を表示部４６に表示させた後、モード切替スイッチ２２を押操作すると、制御部４１の動作モードはタイマ動作設定モードを終了し、操作モードに切り替えられるとともに、表示部４６に表示されているタイマ動作の候補値が、操作スイッチ２１に対応する新たなタイマ動作設定として記憶部４８に記憶される。
【００３９】
このようにして、操作スイッチ配線器具１の設定動作を行い、制御部４１の動作モードを操作モードに切替えた後、器体１０の前面側に操作ハンドル３０を取着させて、各操作スイッチ２１に対応する扉部３１を押操作して、負荷のオン・オフ制御を行う。
【００４０】
ここで、負荷をオン・オフ制御する際の操作スイッチ配線器具１の動作について説明を行う。動作モードが操作モードに切り替えられた状態では、操作スイッチ配線器具１は、制御親機２が常に伝送線Ｌｓに出力している伝送信号を受信する。制御部４１は、信号受信部４４が受信した伝送信号からリレーのアドレスと負荷の動作情報を取り出し、記憶部４８に記憶させた各操作スイッチ２１に割り当てたアドレスの何れかと一致すれば、負荷の動作情報に基づいてＬＥＤ表示部４７に点灯信号を出力してＬＥＤ表示部４７（発光ダイオード２４）の発光色を変更する。具体的には、アドレスに対応する負荷がオン状態を示す動作情報を含んでいれば、ＬＥＤ表示部４７を赤色に発光させ、また、負荷がオフ状態を示す動作情報を含んでいれば、ＬＥＤ表示部４７を緑色に発光させる。これにより、操作スイッチ配線器具１の遠隔に設置された負荷の状態を使用者が確認することができる。
【００４１】
ここで、使用者が負荷をオン／オフするために扉部３１を押操作すると、扉部３１の押突起が対応する位置に設けられた操作スイッチ２１が押操作される。操作スイッチ２１が押操作ことで、制御部４１は、当該操作スイッチ２１に割り当てられたアドレスと、タイマ動作設定を記憶部４８から取り出す。次に、ダミーの制御信号を含む伝送信号が信号受信部４４に入力されると、制御部４１は、伝送信号の信号返送期間に割込信号を生成し、信号返信部４５に伝送線Ｌｓを介して制御親機２に返信信号を出力させる。その後、制御親機２が返信信号に応じて送信する伝送信号に対して、制御部４１が記憶部４８から取り出したアドレス及びタイマ動作設定を含む制御情報を付加し、返信信号として制御親機２に信号返信部４５が出力する。この制御情報を制御親機２が処理することで、制御情報内のアドレスが設定されたリレーを備える制御機器（制御親機２、制御子器３ａ、３ｂ）がリレーを開閉制御する。このとき、制御情報内のタイマ動作設定に一時動作時間が指定されていれば、所定の時間経過後、制御機器（制御親機２、制御子器３ａ、３ｂ）はリレーを閉制御させる。また、制御情報内のタイマ動作設定に遅れ停止時間が指定されていれば、制御情報を受信時にはリレーの開閉制御を行わず、所定の時間経過後、制御機器（制御親機２、制御子器３ａ、３ｂ）はリレーを閉制御させる。このようにして、使用者が扉部３１を押操作することで、アドレス設定モード及びタイマ動作設定モードにて設定した設定内容に応じて、負荷への給電がオン・オフ制御される。
【００４２】
上述のように、アドレス設定モードにおいては、リレーが存在しないアドレスは表示部４６（表示パネル２３）にアドレスの候補値として表示されないので、存在しない不正なアドレスを設定することを回避することができる。また、目的のアドレス候補値を表示させるまでの操作回数を減らすことができ、設定操作の手間を低減することができる。また、同一の操作スイッチ配線器具１が有する他の操作スイッチ２１のアドレスを、表示部４６にアドレスの候補値として表示しないため、目的のアドレスを設定するための操作回数をさらに減らすことができる。
【００４３】
また、タイマ動作設定モードにおいて、操作スイッチ２１を用いてタイマ動作を設定することができるので、専用の機器を用いることなく、低コストの操作スイッチ配線器具を提供できる。
【００４４】
なお、本実施の形態では、表示部として７セグメントＬＣＤからなる液晶パネル２３を用いているが、これは表示部を液晶パネルに限定するものではなく、発光ダイオードを用いてもよい。
【符号の説明】
【００４５】
１          操作スイッチ配線器具
２          制御親機
３ａ、３ｂ  制御子器
２１        操作スイッチ（切替操作釦）
４１        制御部（表示切替手段、アドレス設定手段）
４２        操作入力部（切替操作釦）
４６        表示部（表示手段）
Ｌｓ        伝送線
【図１】
2011010036.tif 000003
【図２】
2011010036.tif 000004
【図３】
2011010036.tif 000005
【図４】
2011010036.tif 000006